(57)【特許請求の範囲】
【請求項１】
マイクロ波治療器又は赤外線治療器の治療器本体と、
治療用のマイクロ波又は赤外線を照射する照射器と、
円形パイプ製の伸縮部（１）を、前記伸縮部（１）の外径よりもやや大きな内径を有する円形パイプ製の基部（２）に滑動自在に挿入するとともに、前記伸縮部（１）を前記基部（２）に固定する又は固定を解除する固定部を設けた、長さ調節可能なアーム（４）と、
を有し、
アーム回転軸（Ｐ）を介して前記アーム（４）の一端を前記治療器本体に接続し、
照射器回転軸（Ｑ）を介して前記照射器を前記アーム（４）の他端に接続
したマイクロ波治療器又は赤外線治療器において、
前記アーム（４）は、前記基部（２）の内側面に、前記基部（２）の中心軸と平行に、長い溝状の凹部（又は凸部）（７）を設けるとともに、前記凹部（又は凸部）（７）に滑動自在に契合する凸部（又は凹部）（８）を前記伸縮部（１）の外側面に設けた、アーム回転防止機構を有するアームであり、
前記アーム回転軸（Ｐ）は、前記アーム回転軸（Ｐ）を中心にして前記アーム（４）を水平方向及び垂直方向に回動させて任意の方向に向けることができるようにする回転軸であり、
前記照射器回転軸（Ｑ）は、前記照射器回転軸（Ｑ）を中心にして前記照射器を水平方向及び垂直方向に回動させて任意の方向に向けることができるようにする回転軸である
ことを特徴とする、マイクロ波治療器又は赤外線治療器。
【発明の詳細な説明】
【０００１】
【産業上の利用分野】
本発明は、マイクロ波治療器又は赤外線治療器の、特に照射器を支持するなアームの改良に関するもので、アーム操作時の省力化を目的とするものである。
【０００２】
【従来の技術】
本発明はマイクロ波治療器又は赤外線治療器のアームに関するものであるが、ここでは、代表的な例として、マイクロ波治療器における応用を説明する。
マイクロ波治療器は、マイクロ波を生体に直接照射し、組織を加温して諸疾患の治療を行う温熱治療器として、広く用いられている。図２（Ａ）はマイクロ波治療器の外観例であり、図の２１はマイクロ波治療器本体、２２はマイクロ波伝送線路、２３はマイクロ波照射器、２４は照射器２３を支持するアームである。
【０００３】
治療器本体２１はマイクロ波を発生する発振部（通常はマグネトロン）と、マイクロ波の出力を制御する制御部を有し、操作パネルのスイッチ類を操作して患者に適したマイクロ波出力と治療時間等を設定し、所定のマイクロ波を出力することができる。
伝送線路２２は、本体２１で発生させたマイクロ波を照射器２３に伝送するもので、通常、可撓性を有するマイクロ波伝送用同軸ケーブルが使用され、照射器23を患者の任意の部位にセットすることができるようにしている。
【０００４】
照射器２３は伝送線路２２から伝送されるマイクロ波を放射するアンテナと、アンテナから放射されたマイクロ波を患部近傍に集める反射器から構成される。照射器２３は、図２（Ａ）に示すように、ホーン型と長方形の２種類があり、治療部位の面積や形状などによりいずれかを選択して使用する。
アーム２４はアーム回転軸Ｐを介して治療器本体２１に取り付けられ、その先端部に照射器回転軸Ｑを介して照射器２３を取り付ける。アーム回転軸Ｐは水平方向と垂直方向の回転軸成分を有し、アーム２４を、アーム回転軸Ｐを中心に三次元的に回動できる。照射器回転軸Ｑも同様に照射器２３を三次元的に回動させ、照射器２３を任意の方向に向かせることができる。
【０００５】
アーム２４は、図２（Ｂ）に示すように、円形パイプ製の基部２５、直径が基部２５の内径よりやや小さな円形パイプ製の伸縮部２６、固定リング３３、グリップ27等で構成され、伸縮部２６は基部２５に滑動自在に挿入されている。このため、アーム２４は伸縮可能で、伸縮部２６は、その中心軸のまわりに自由に回転できる。基部２５と固定グリップ27とはネジ結合部３５で結合されており、その間に固定リング３３を挿入している。
【０００６】
図２（Ｃ）は固定リングの平面図と正面図である。この図に示すように、リング３３はパイプの一部に欠損部を設けた巻きパイプ状のバネであり、その上端と下端にはテーパＴを付けている。リング３３と接するグリップ27の内面ｃと基部２５の端面ｂにも、リング３３のテーパＴと平行にテーパを設けている。このため、グリップ27を回してネジ３５を絞めると、グリップ27は図２（Ｂ）に示す矢印ａの方向に移動し、固定リング３３は基部２５に押し付けられ、テーパに沿って固定リング３３の直径が小さくなり、ついには固定リング３３は伸縮部２６に押しつけられ、伸縮部２６は滑動も回転もできなくなり、基部２５に固定される。グリップ27を緩めると、リング３３はバネであるため元の直径のリングに戻り、伸縮部２６は基部２５の中で自由に滑動できるようになる。
【０００７】
このようにして、グリップ２７を絞めると基部２５に伸縮部２６を固定できるし、緩めると伸縮部２６を滑動させてアーム２４の長さを調節することができる。このため、例えば治療器の前で椅子に座った患者の足関節を治療する場合、アーム回転軸Ｐを中心にアーム２４を回転させて患部の方向に向けることができる。また、グリップ２７を緩めて伸縮部２６をスライドさせてアーム２４の長さを調節し、グリップ２７を絞めて伸縮部２６を固定し、アームの長さを決定する。軸Ｑで照射器２３の向きを調節して、照射器２３を患部に向けてセットする。この状態で治療を開始すると、所定の治療を行うことができる。
【０００８】
【発明が解決しようとする課題】
しかし、このような構造のアームでは、グリップ２７を絞めると、アームの軸方向の固定力は十分に得ることができるが、伸縮部２６の長軸を中心とする回転方向の固定力は弱く、使用中に照射器２３が自重によって下を向いてしまうことがあった。これを防止しようとすれば、強い力でグリップ２７を締め付けなければならず、これを緩めるときも同様に強い力が必要であった。また、一旦照射器２３を患部にセットしても、アームの長さが合わず、再度アームの長さ調節をしなければならないこともあるが、固定部２７を緩めてアーム長を再調節しようとすると、照射器２３の重量により伸縮部２６がその長軸を中心に回転し、照射器２３が下方向を向いてしまうということも多く、改めて照射器２３の方向を調節しなければならないという余分な手間が増えていた。
【０００９】
【課題を解決するための手段】
この問題を解決するため、本発明では、
マイクロ波治療器又は赤外線治療器の治療器本体と、
治療用のマイクロ波又は赤外線を照射する照射器と、
円形パイプ製の伸縮部（１）を、前記伸縮部（１）の外径よりもやや大きな内径を有する円形パイプ製の基部（２）に滑動自在に挿入するとともに、前記伸縮部（１）を前記基部（２）に固定する又は固定を解除する固定部を設けた、長さ調節可能なアーム（４）と、
を有し、
アーム回転軸（Ｐ）を介して前記アーム（４）の一端を前記治療器本体に接続し、
照射器回転軸（Ｑ）を介して前記照射器を前記アーム（４）の他端に接続
したマイクロ波治療器又は赤外線治療器において、
前記アーム（４）は、前記基部（２）の内側面に、前記基部（２）の中心軸と平行に、長い溝状の凹部（又は凸部）（７）を設けるとともに、前記凹部（又は凸部）（７）に滑動自在に契合する凸部（又は凹部）（８）を前記伸縮部（１）の外側面に設けた、アーム回転防止機構を有するアームであり、
前記アーム回転軸（Ｐ）は、前記アーム回転軸（Ｐ）を中心にして前記アーム（４）を水平方向及び垂直方向に回動させて任意の方向に向けることができるようにする回転軸であり、
前記照射器回転軸（Ｑ）は、前記照射器回転軸（Ｑ）を中心にして前記照射器を水平方向及び垂直方向に回動させて任意の方向に向けることができるようにする回転軸である
ことを特徴とする、マイクロ波治療器又は赤外線治療器、とした。
前記伸縮部１と前記基部２の固定を緩めても、伸縮部１はその中心軸を中心に回転しないため、前記アーム４に設けた前記照射器の方向が変化しない。
【００１０】
【作用】
グリップ３を緩めると、伸縮部１を自由にスライドさせてアーム４の長さを調節することはできるが、基部２に対して伸縮部１はその長軸を中心として回転しないので、照射器の向きが、照射器の自重により意に反して変わることはない。また、従来よりも弱い力でグリップ３を絞めても、照射器を任意の方向に向けておくことができる。このため、術者の省力化が可能になる。
【００１１】
【実施例】
請求項1記載の発明は、
マイクロ波治療器又は赤外線治療器の治療器本体と、
治療用のマイクロ波又は赤外線を照射する照射器と、
円形パイプ製の伸縮部（１）を、前記伸縮部（１）の外径よりもやや大きな内径を有する円形パイプ製の基部（２）に滑動自在に挿入するとともに、前記伸縮部（１）を前記基部（２）に固定する又は固定を解除する固定部を設けた、長さ調節可能なアーム（４）と、
を有し、
アーム回転軸（Ｐ）を介して前記アーム（４）の一端を前記治療器本体に接続し、
照射器回転軸（Ｑ）を介して前記照射器を前記アーム（４）の他端に接続
したマイクロ波治療器又は赤外線治療器において、
前記アーム（４）は、前記基部（２）の内側面に、前記基部（２）の中心軸と平行に、長い溝状の凹部（又は凸部）（７）を設けるとともに、前記凹部（又は凸部）（７）に滑動自在に契合する凸部（又は凹部）（８）を前記伸縮部（１）の外側面に設けた、アーム回転防止機構を有するアームであり、
前記アーム回転軸（Ｐ）は、前記アーム回転軸（Ｐ）を中心にして前記アーム（４）を水平方向及び垂直方向に回動させて任意の方向に向けることができるようにする回転軸であり、
前記照射器回転軸（Ｑ）は、前記照射器回転軸（Ｑ）を中心にして前記照射器を水平方向及び垂直方向に回動させて任意の方向に向けることができるようにする回転軸である
ことを特徴とする、マイクロ波治療器又は赤外線治療器に関する。
本発明のアーム４の実施例を図１に示す。アーム４は、図１（Ａ）に示すように、円形パイプ製の伸縮部１を、伸縮部１の外径よりも少し大きな内径を有する基部２に滑動自在に挿入して構成している。
【００１２】
基部２とグリップ３とはネジ部６でネジ結合されている。グリップ３には伸縮部１の外径よりも少し大きな穴を空けており、この中を伸縮部１が滑動自在に貫通している。固定リング５は、図２（Ｃ）に示すような従来と同様の巻きパイプ型のバネである。この固定リング５を伸縮部１が貫通し、基部２の先端部とグリップ３の間に置いている。固定リング５には、図１（Ａ）に示すように、上下にテーパＴを付けている。一方、リング５と接する基部２の上端面ｂとグリップ３の内面ｃにも、固定リング５と同じ傾きのテーパを入れている。
【００１３】
このため、グリップ３を回転させてネジ部６を絞めると、グリップ３は図１（Ａ）のａ方向に移動し、リング５を基部２に押しつける。リング５にはその上下にテーパＴを付けているので、リング５の直径が小さくなるように力が作用し、ついには伸縮部１に締め付けられ、基部２に固定され、アーム４を固定できる。固定したアーム４のグリップ３を逆に回転させてネジ６を緩めると、固定リング５を締め付ける力がなくなり、自身の復元力で元のリング状に戻り、伸縮部１を滑動自在にするので、アーム４の長さを調節することができる。このように固定部を構成している。
【００１４】
本発明では、以上の従来技術に追加して、基部２と伸縮部１が接する面に、アーム４の軸方向の滑動は自由であるが軸回りの回転はできないようにする回転防止の機構を設けた。回転防止機構の例を図１（Ｂ）に示す。これは図１（Ａ）の、基部２に伸縮部１が挿入されている部分の断面図である。基部２の内面に、その中心軸と平行に、長い溝状の凹部７を設けた。溝の長さは、伸縮部１の先端部２の滑動範囲（図１（Ａ）のＬ）をカバーできる長さにしている。一方、伸縮部１の端部には、その外面に凸部８を設けた。凸部８は凹部７とガタつきなく噛み合うようにしている。このため、伸縮部１を基部２に挿入し、それぞれに設けた凸部と凹部を噛み合わせると、アーム４の中心軸方向には滑動させることはできるが、中心軸の回りには回転しない。このため、弱い力でグリップ３を絞めても、照射器を所定の方向に向けておくことができ、また、グリップ３を緩めているときも伸縮部１が回転しないため、術者の余分な労力が不必要になり、従来の課題を解決することができる。
【００１５】
この実施例では凹部７と凸部８のペアを８個設けている。これは用いたパイプの肉厚との関係で、溝の深さを十分には取れず、強度上の問題があるため、また、両パイプの中心軸を合わせるためにも、８個にしているが、本発明では凹部と凸部は何個でもよい。また、伸縮部１の先端部に凸部を付ける例を示したが、伸縮部１の全体に凸部を設けてもよいし、伸縮部１とは別のユニットに凸部を付けたものを伸縮部1に接続して用いてもよい。
【００１６】
以上の説明では、パイプ１に凸部を、パイプ２に凹部をそれぞれ設ける例を示したが、両パイプに付ける凸と凹を逆にしてもよい。凹部は長い溝状であるが、凸部の長さは制限しない。
治療器本体にアーム回転軸Ｐを設け、そこに図１のアームの一端を接続し、アームの他端に照射器回転軸Ｑを設けて照射器を設けると、図2（Ａ）に示すように従来と同様に用いることができる。
本発明は、以上に述べたマイクロ波治療器への応用だけでなく、赤外線治療器にも応用することができる。
図2（Ｄ）は基部2と伸縮部1の固定法の別の例である。
【００１７】
【発明の効果】
本発明によると、グリップ３を弱い力で絞めても、伸縮部１の長さ方向の滑動と軸方向の回転が生じない。また、アーム４のグリップ３を緩めても、アーム４を任意の長さに調節することはできるが、伸縮部１が意に反して回転することはない。このため、術者の余分な労力が不必要になり、照射器の方向を再調節するという不要な労力を無くすことができ、その結果、医療効率の向上に寄与することができる。
【図面の簡単な説明】
【図１】本発明の実施例で、（Ａ）はアームの構造図、（Ｂ）は回転防止機構部の断面図である。
【図２】従来技術の例で、（Ａ）はマイクロ波治療器の外観例、（Ｂ）はアームの構造図、（Ｃ）はアームを固定するリングの構造図、（Ｄ）はアーム固定法の他の例である。
【符号の説明】
１・・・伸縮部
２・・・基部
３・・・グリップ
４・・・アーム
５・・・リング
６・・・ネジ結合部
７・・・基部２の凹部
８・・・伸縮部１の凸部
ａ・・・グリップの移動方向
ｂ・・・基部２の端面
ｃ・・・グリップ３のリング５と接する面
Ｌ・・・伸縮部１先端部の可動域
Ｘ・・・図１（Ｂ）の断面位置
２１・・・治療器本体
２２・・・マイクロ波伝送線路
２３・・・マイクロ波照射器
２４・・・マイクロ波治療器のアーム
２５・・・基部
２６・・・伸縮部
２７・・・グリップ
３３・・・固定リング
Ｔ・・・テーパ
Ｐ・・・アーム回転軸
Ｑ・・・照射器回転軸
【図１】
0004771441.tif 000002
【図２】
0004771441.tif 000003